(57)【要約】【課題】棚から落下せず、人との接触で破損する虞がなく、表示や音量の設定が容易に変更されず、記憶媒体が抜き取られず、設定や記憶媒体交換が容易な、情報出力装置（５０Ｂ，１５０Ｂ）を備えた展示装置（５０，１５０）を提供する。【解決手段】展示棚（５０Ａ）と、画像又は音声情報を外面から出力する情報出力手段（２２，２４）を有する情報出力装置（５０Ｂ）と、を備え、情報出力装置は、展示棚（５０Ａ）の前面（２ｃ）側に情報出力手段を露出するよう収容されると共に、前面に沿う軸（Ｃ）の廻りに回動可能とした。また、情報出力装置は、その出力を制御する出力制御手段（３０〜３５）を備え、外面は、第１の面（２１Ｆ）と軸を通る第１の面の法線とは異なる法線を有する第２の面（２１ＢＴ）とを有して、第１の面に情報出力手段が設けられ、第２の面に出力制御手段が設けられ、回動により第１の面と第２の面とのいずれかが露出する。【選択図】図１
2007229069.tif 000002
【特許請求の範囲】
【請求項１】
商品を載置する棚面を有する展示棚と、画像情報または音声情報を出力する情報出力手段が外面に設けられた情報出力装置と、を備え、
前記情報出力装置は、前記展示棚の前面側に、前記情報出力手段を外部に露出するよう収容されると共に、前記前面に沿う方向の軸の廻りに回動可能とされたことを特徴とする展示装置。
【請求項２】
前記情報出力装置は、前記情報出力手段の出力を制御する出力制御手段を備え、
前記外面は、第１の面と前記軸を通る前記第１の面の法線とは異なる法線を有する第２の面とを有して、前記第１の面に前記情報出力手段が設けられると共に前記第２の面に前記出力制御手段が設けられて成り、
前記回動により前記第１の面と前記第２の面とのいずれかが選択的に外部に露出されるよう構成されて成ることを特徴とする請求項１記載の展示装置。
【請求項３】
前記第１の面は、前記第２の面に対して突出する鍔部を有することを特徴とする請求項２記載の展示装置。
【請求項４】
画像情報または音声情報を出力する情報出力手段が外面に設けられた本体部と、前記本体部を囲む枠状のフレームと、を備え、
前記本体部は、前記フレームに対して、その枠に沿う方向の軸の廻りに回動可能に支持される一方、
前記フレームは、その一面側に該フレームの形状に対応した孔と係合する係合手段を有することを特徴とする情報出力装置。
【請求項５】
前記本体部は、前記情報出力手段の出力を制御する出力制御手段を備え、
前記外面は、第１の面と前記軸を通る前記第１の面の法線とは異なる法線を有する第２の面とを有して前記第１の面に前記情報出力手段が設けられると共に前記第２の面に前記出力制御手段が設けられて成り、
前記回動により前記第１の面と前記第２の面とのいずれかが選択的に前記フレームの他面側から視認可能となるよう構成されて成ることを特徴とする請求項４記載の情報出力装置。
【請求項６】
前記第１の面は、前記第２の面に対して突出する鍔部を有することを特徴とする請求項５記載の情報出力装置。
【請求項７】
商品を載置する棚面を有する展示棚と、請求項４乃至６のいずれか１項に記載の情報出力装置と、を備え、
前記展示棚は、その前面側に前記フレームの形状に対応した形状の孔を有し、
前記孔に前記フレームの前記係合手段が係合して前記情報出力装置が前記展示棚に取り付けられて成ることを特徴とする展示装置。
【発明の詳細な説明】
【技術分野】
【０００１】
本発明は、商品の広告などの広告情報を、音声や画像として出力する情報出力装置及びその装置と商品を展示する展示部材とを備えた展示装置に関する。
【背景技術】
【０００２】
店舗内や店頭において、棚などに展示した商品の近傍に配置され、その商品の紹介や宣伝広告を来店した顧客に対して画像表示や音声案内などによりアピールする情報出力装置が知られており、その一例として特許文献１に記載された電子画像表示装置がある。
【特許文献１】特開平７−１３４５５５号公報
【発明の開示】
【発明が解決しようとする課題】
【０００３】
このような情報出力装置である画像表示装置は、従来、商品を陳列する棚板上に載せたり、あるいは、棚板の前面に取り付け具を介して装着して活用されていた。
しかしながら、棚板上に載せる場合は、そのスペースには商品を陳列することができないので陳列効率が低下し、また、載せた画像表示装置の後ろ側に陳列した商品を顧客が取り難くなるという問題があった。
【０００４】
一方、棚板の前面に装着した場合は、装置が商品棚の前面から大きく突出するので、顧客や荷物運搬用の台車などにぶつかって棚から落下する虞があり、これを防ぐために取り付けを強固にしてある場合には、装置自体が損傷する可能性があった。
また、店舗が小さく、顧客の通路が狭い状況では、歩行スペースが確保し難いという問題があった。
また、いずれの場合においても、画像表示装置の外面に備えられた、画面の明るさや音量を調整するボリュームや電源スイッチなどの設定がいたずらにより勝手に変えられたり、アピールする宣伝情報が記憶されたメモリーカードが抜き取られるという問題が生じる可能性があった。
【０００５】
一方、各種調整やカードの交換などは頻繁に行われ、これらの作業は容易であることが必要である。そのため、このような問題が生じることなく、調節作業やメモリーカードの交換が容易とする改善が望まれていた。
【０００６】
そこで、本発明が解決しようとする課題は、棚から落下することがなく、また、人や物と接触して破損する虞がなく、その装置の表示や音量などの設定が容易に変更されることがなく、その装置から情報を記憶した記憶媒体を容易に抜き取られることがなく、各設定や記憶媒体の交換が容易に行える情報出力装置及びそれを備えた展示装置を提供することにある。
【課題を解決するための手段】
【０００７】
上記の課題を解決するために、本願発明は手段として次の１）乃至７）の構成を有する。
１）  商品（３００）を載置する棚面（２ａ）を有する展示棚（５０Ａ）と、画像情報または音声情報を一外面から出力する情報出力手段（２２，２４）設けられた情報出力装置（５０Ｂ）と、を備え、
前記情報出力装置（５０Ｂ）は、前記展示棚（５０Ａ）の前面（２ｃ）側に、前記情報出力手段（２２，２４）を外部に露出するよう収容されると共に、前記前面（２ｃ）に沿う方向の軸（Ｃ）の廻りに回動可能とされたことを特徴とする展示装置（５０）である。
２）  前記情報出力装置（５０Ｂ）は、前記情報出力手段（２２，２４）の出力を調整する出力制御手段（３０〜３５）を備え、
前記外面は、第１の面（２１Ｆ）と前記軸（Ｃ）を通る前記第１の面（２１Ｆ）の法線とは異なる法線を有する第２の面（２１ＢＴ）とを有して、前記第１の面（２１Ｆ）に前記情報出力手段（２２，２４）が設けられると共に前記第２の面（２１ＢＴ）に前記出力制御手段（３０〜３５）が設けられて成り、前記回動により前記第１の面（２１Ｆ）と前記第２の面（２１ＢＴ）とのいずれかが選択的に外部に露出されるよう構成されて成ることを特徴とする１）に記載の展示装置（５０）である。
３）  前記第１の面（２１Ｆ）は、前記第２の面（２１ＢＴ）に対して突出する鍔部（２１Ｆ１）を有することを特徴とする２）に記載の展示装置（５０）である。
４）  画像情報または音声情報を外面から出力する情報出力手段（２２，２４）が設けられた本体部（１１２）と、前記本体部（１１２）を囲む枠状のフレーム（１１１）と、を備え、
前記本体部（１１２）は、前記フレーム（１１１）に対して、その枠に沿う方向の軸（Ｃｆ）の廻りに回動可能に支持される一方、前記フレーム（１１１）は、その一面（１１１ｈ）側に該フレーム（１１１）の形状に対応した孔（１０２ａ）と係合する係合手段（１１１ｂ）を有することを特徴とする情報出力装置（１５０Ｂ）である。
５）  前記本体部（１１２）は、前記情報出力手段（２２，２４）の出力を調整する出力制御手段（３０〜３５）を備え、
前記外面は、第１の面（１２１Ｆ）と前記軸（Ｃｆ）を通る前記第１の面（１２１Ｆ）の法線とは異なる法線を有する第２の面（１２１ＢＴ）とを有して前記第１の面（１２１Ｆ）に前記情報出力手段（２２，２４）が設けられると共に前記第２の面（１２１ＢＴ）に前記出力制御手段（３０〜３５）が設けられて成り、前記回動により前記第１の面（１２１Ｆ）と前記第２の面（１２１ＢＴ）とのいずれかが選択的に前記フレーム（１１１）の他面（１１１ｆ）側から視認可能となるよう構成されて成ることを特徴とする４）に記載の情報出力装置（１５０Ｂ）である。
６）  前記第１の面（１２１Ｆ）は、前記第２の面（１２１ＢＴ）に対して突出する鍔部（１２１Ｆ１）を有することを特徴とする５）に記載の情報出力装置（１５０Ｂ）である。
７）  商品（３００）を載置する棚面（１０２ｔｐ）を有する展示棚（１０２）と、請求項４乃至６のいずれか１項に記載の情報出力装置（１５０Ｂ）と、を備え、
前記展示棚（１０２）は、その前面（１０２ｆ）側に前記フレーム（１１１）の形状に対応した形状の孔（１０２ａ）を有し、該孔（１０２ａ）に前記フレーム（１１１）の前記係合手段（１１１ｂ）が係合して前記情報出力装置（１５０Ｂ）が前記展示棚（１０２）に取り付けられて成ることを特徴とする展示装置（１５０）である。
【発明の効果】
【０００８】
本発明によれば、棚から落下することがなく、人や物と接触して破損する虞がなく、表示や音量などの設定が容易に変更されることがなく、記憶媒体を容易に抜き取られることがなく、設定や記憶媒体の交換が容易であるという効果を奏する。
【発明を実施するための最良の形態】
【０００９】
本発明の実施の形態を、好ましい実施例により図１〜図１６を用いて説明する。
図１は、本発明の展示装置の第１実施例を説明する斜視図である。
図２は、本発明の展示装置の第１実施例における要部を説明する斜視図である。
図３は、本発明の展示装置の第１実施例における要部を説明する他の斜視図である。
図４は、本発明の展示装置の第１実施例における要部を説明する側面図である。
図５は、本発明の展示装置の第１実施例における他の要部を説明する部分斜視図である。
図６は、本発明の展示装置の第１実施例における組み立て手順を説明するための図である。
図７は、本発明の展示装置の第１実施例の変形例を説明する側面図である。
図８は、本発明の展示装置の第２実施例を説明する斜視図である。
図９は、本発明の展示装置の適用例を説明する斜視図である。
図１０は、本発明の展示装置の第２実施例を説明する分解図である。
図１１は、本発明の展示装置の第２実施例における要部を説明する図である。
図１２は、本発明の展示装置の第２実施例における他の要部を説明する斜視図である。
図１３は、本発明の展示装置の第２実施例における別の要部を説明する斜視図である。
図１４は、本発明の展示装置の第２実施例における別の要部を説明する側面図である。
図１５は、本発明の展示装置の第２実施例における組み立て手順などを説明するための図である。
図１６は、本発明の展示装置の各実施例における変形例を説明する図である。
【００１０】
＜第１実施例＞
図１（ａ）に示すように、この実施例の展示装置５０は、枠体１と枠体１の側部１ａ，１ｂを連結する棚部２とを備えた金属製の展示棚５０Ａと、一面が外部に露出するように棚部２に収容された情報出力装置である画像表示装置５０Ｂとを備えている。
【００１１】
棚部２は、その天面が、商品３００を陳列可能なように平坦面である棚面２ａとされ、また、棚面２ａの反対側を開口側として矩形に切り欠かれた収容部２ｂが形成されている。
この収容部２ｂは、画像表示装置５０Ｂの外形形状に対応した形状とされており、この収容部２ｂに画像表示装置５０Ｂが棚部２の前面２ｃから突出することなく収容されている。
この画像表示装置５０Ｂは、詳細は後述するが、ピン係合部ＰＫなどの回動手段によって、図１（ｂ）に示すように回動軸Ｃの廻り（図中矢印方向）に回動可能なように構成されている。
【００１２】
画像表示装置５０Ｂは、図２に示すように略直方体形状を呈し、筐体２１と、その内部に収納された、制御部（ＣＰＵ）２７，画像を表示する表示部である有機ＥＬ（Ｅｌｅｃｔｒｏ  Ｌｕｍｉｎｅｓｃｅｎｔ）素子２２，音声出力部であるスピーカ２４，表示部２２やスピーカ２４の駆動回路などを含む駆動部２５，画像データや音声データを記憶した記憶媒体であるメモリーカード２８及び電源部２９と、を備えている。以下の説明においては、特に記載がない限り、画像は静止画像と動画像とを含むものとする。
【００１３】
筐体２１は、樹脂材を射出成形して形成されており、その前面部２１Ｆには、有機ＥＬ素子２２に表示される画像を外部から視認できるように開口された表示窓部２１ｋと、スピーカ２４からの音声を外部に放出させるための放音孔２１ｂと、が設けられている。
また、図３に示すように、筐体２１の底面部２１ＢＴ側には、メモリーカード２８用のスロット３０，電源スイッチ３１，音量調節ノブ３２，画面の明るさ調整ノブ３３，コントラスト調整ノブ３４及び外部との信号授受のための接続端子３５が設けられている。これらは、いずれも広義的に画像や音声の出力の制御に係る出力制御手段として機能する。
【００１４】
このような構成により、この画像表示装置５０Ｂは、その制御部２７の指示により、メモリーカード２８に記憶された画像あるいは音声情報の中から顧客にアピールすべき情報を選択的に読み出し、その情報を、駆動部２５を介して有機ＥＬ素子２２に画像を表示させたり、スピーカ２４から音声として出力させたりする。
制御部２７によるこのような制御は、あらかじめ制御プログラムを、制御部２７が備えた図示しない他の記憶部に記憶させておき、自律的に行うものである。
もちろん、通信手段（図示せず）を備え、この通信手段を介して外部から制御可能な構成にしてもよい。
【００１５】
また、メモリーカード２８は、カードスロット３０を介して外部から着脱可能とされている。
また、表示部２２は、有機ＥＬ素子以外に液晶素子など周知の画像表示素子を用いることができる。
電源部２９は、１次電池または２次電池であり外部から交換可能とされている。
この電源としては、外部から有線手段で、または電磁誘導などによる非接触手段で供給される構成でもよい。
【００１６】
この展示装置５０の使用者は、顧客に対してアピールしたい商品などの宣伝情報である画像あるいは音声の情報をあらかじめメモリーカード２８に記憶させておき、そのメモリーカード２８を、アピールしたい商品を陳列した棚に収容されたが画像表示装置５０Ｂに装着して宣伝情報を表示あるいは出力させる。
【００１７】
次に、この実施例における画像表示装置５０Ｂの収容形態について、図２〜図７を用いて詳述する。
図２及び図３に示すように、画像表示装置５０Ｂの筐体２１の前面パネルである前面部２１Ｆは、底面部２１ＢＴに対して突出する鍔部２１Ｆ１を有して形成されている。
また、筐体２１の側面部２１Ｓ１，２１Ｓ２それぞれには、この電子表示装置５０Ｂの長手に沿う方向の回動軸Ｃを軸として突出するピン２１Ｐ１，２１Ｐ２が形成されている。
【００１８】
このピン２１Ｐ１，２１Ｐ２は、図４に詳細を示すように、回動軸Ｃを中心とする直径Ｄ１の円筒を間隔Ｗなる互いに平行な平面でカットした形状を有し、この平行な平面と前面部２１Ｆの面とが成す角度θを例えば３０°としてなる形状である。
ここで、側面部２１Ｓ１，２１Ｓ２における回動軸Ｃの位置は、前面部２１Ｆと天面部２１Ｔとが成す稜線Ｌ１の近くに設定されている。
また、一方の側面部２１Ｓ２の前面部２１Ｆ側には、矩形の窪みである凹部２１ａが形成されている。
【００１９】
上述したピン２１Ｐ１，２１Ｐ２は、棚部２に設けた収容部２ｂの内面に形成された係合孔２ｄに係合し、凹部２１ａには棚部２に設けた回動爪５が係合する。
以下に、この係合孔２ｄと回動爪５とについて図５を用いて詳述する。
【００２０】
図５は、図１における棚部２に対して矢視Ａ方向から見た図であり、収容部２ｂの内面の一部を示す斜視図である。
この図５において、収容部２ｂは、その側面２ｂｓにおける開口端側の角部２ｂ１近傍に、画像表示装置５０Ｂのピン２１Ｐ２と係合する係合孔２ｄが直径Ｄ２で形成されている。
【００２１】
具体的に説明すると、側面２ｂｓは切り欠き部２ｂ２によりその端部２ｂｓ１に沿って大きく切り欠かれているが、角部２ｂ１の近傍には端部２ｂｓ１から離れる方向に延出する鍔部２ｂ３が形成されている。
この鍔部２ｂ３には、係合孔２ｄと、鍔部２ｂ３の縁から係合孔２ｄに達して切り込まれた幅Ｗ２なるスリット２ｅとが形成されている。
また、このスリット２ｅの鍔部２ｂ３の縁に繋がる部分には、その幅が開口側に向かうに従って広がるガイド部２ｅ１が形成されている。
【００２２】
ここで、このスリット２ｅの延在方向と水平方向ＧＬとの成す角度θ２は、ピン２１Ｐ２において設定された角度θと同じ（θ＝θ２）に設定されると共に、
スリットの幅Ｗ２は、ピン２１Ｐ２の幅Ｗよりも僅かに大きく（Ｗ２＞Ｗ）設定されている。また、係合孔２ｄの直径Ｄ２は、ピン２１Ｐ２の外径Ｄ１よりも大きく（Ｄ２＞Ｄ１）形成されている。
以下の説明において、このスリット２ｅと係合孔２ｄとをピン係合部ＰＫと称することとする。
そして、このピン係合部ＰＫは、係合孔２ｄの回動軸Ｃを軸として収容部２ｂにおける反対側の側面２ｂｓにも同様に形成されている。
【００２３】
一方、図５における鍔部２ｂ３の下方側には、前面パネル１Ｆに対して直交する軸Ｃ２の回りに回動可能とされた回動爪５が形成されている。
具体的には、この回動爪５は略楕円形の外形を有し、枠体１の前面パネル１Ｆに対して係止ボルト６と一体的に回動可能に支持されている。
【００２４】
また、係止ボルト６は、前面パネル１Ｆに対して図示しない摩擦手段により回動抵抗が付与されており、外部に露出したその頭部６ａに形成されたすりわり６ｂにドライバやコインを係合させて廻すことにより、回動爪５の回転位置を任意の角度位置に保持することができるよう構成されている。
ここで、回動爪５は、上述したように外形が例えば楕円形であり、その長手方向が概ね水平方向となる位置に係止ボルト６を廻した際には、回動爪５の一部が図５に示すように収容部２ｂの開口縁部２ｂｆから収納部２ｂ内に突出し、その短手方向が概ね水平方向となる位置に係止ボルト６を廻した際には、回動爪５の全体が前面パネル１Ｆの内側に収められて収容部２ｂ内に突出することがないように構成されている。
この回動爪５の凹部２１ａに係合する部分の形状は限定されるものではなく、例えばピン状であってもよい。
【００２５】
実施例の展示装置５０において、画像表示装置５０Ｂは、そのピン２１Ｐ１，２１Ｐ２が係合部ＰＫに係合して収容部２ｂに前面部２１Ｆが前面パネル１Ｆから突出することなく収容されている。
また、収容された画像表示装置５０Ｂは、回動軸Ｃまわりに回動可能であると共に所定の位置、すなわち、前面部２１Ｆが枠体１の前面パネル１Ｆに対してほぼ同じ面となる位置にて保持可能とされている。
ここで、この画像表示装置５０Ｂを棚部２に収容する方法について、図６を用いて詳述する。
【００２６】
この収容は、図６（ａ）〜図６（ｄ）に示す手順で行われる。
図６は、収容部２ｂのピン係合部ＰＫ近傍と画像表示装置５０Ｂとを示し、理解容易のため、画像表示装置５０Ｂについてはそのピン２１Ｐ２以外を破線で示している。
収容に際しては、予め棚部２側の回動爪５は係止ボルト６を回動させて収容部２ｂの外側に退避させておく。
【００２７】
まず、図６（ａ）に示すように、画像表示装置５０Ｂを前面部２１Ｆが上向きになるように傾けた姿勢で長手方向に天面２１Ｔ側から収容部２ｂ内へ挿入する（矢印方向）。
【００２８】
次に、図６（ｂ）に示すように、画像表示装置５０Ｂを、そのピン２１Ｐ２がスリット２ｅを通過させるように斜め上方（矢印方向）に向けて移動させる。この際、スリット２ｅの入り口にはガイド部２ｅ１が設けられているので、ピン２１Ｐ２はこのガイド部２ｅ１に案内されスリット２ｅ内へ容易に挿入できる。
【００２９】
図６（ｃ）に示すように、ピン２１Ｐ２がスリット２ｅを通過して係合孔２ｄに達したら、回動軸Ｃ廻り（矢印方向）に回動させる。
【００３０】
そして、画像表示装置５０Ｂが図６（ｄ）の位置、すなわち、前面部２１Ｆが棚部２の前面２ｃとほぼ同じ面となる位置まで回動させたら、図（ｅ）に示すように、係止ボルト６を回動させて、退避させておいた回動爪５を画像表示装置５０Ｂにおける筐体２１の側面部２１Ｓ２に設けられた凹部２１ａに係合させる。
これにより、画像表示装置５０Ｂの回動が規制され、図６（ｄ）の姿勢位置（以下、使用位置とも称する）で保持される。
【００３１】
以上のように収容した画像表示装置５０Ｂに対して、電源の入切や音量等の調整、あるいは、メモリーカードの交換などを行う場合は、図６（ｄ）の使用位置において回動爪５を回動させて凹部２１ａから離脱させ、画像表示装置５０Ｂを図６（ｃ）に示す位置（以下、調整位置とも称する）まで図の反時計回りに回動させる。
【００３２】
画像表示装置５０Ｂは、底面２１ＢＴに各調整ノブ３２〜３４やスロット３０などを備えているので、この調整位置において、これらは棚部２の正面側に露出して容易に各種調整などを行うことができる。
すなわち、実施例の展示装置５０は、画像表示装置５０Ｂの使用位置において、電源スイッチ３１，各調整ノブ３２〜３４，接続端子３５及びスロット３０が外部に露出していないので、使用者の意に反して設定が勝手に変更されたり、スロット３０からメモリーカード２８が抜き取られる心配がない。
また、画像表示装置５０Ｂの姿勢を調整位置することで、各種調整やメモリーカード２８の交換などを棚の正面側から容易に行うことができる。
【００３３】
さらに、この画像表示装置５０Ｂは、展示装置５０の正面側となる筐体２１の前面部２１Ｆが、底面２１ＢＴから延出する鍔部２１Ｆ１を備えて形成されている。
すなわち、図６（ｄ）に示すように、この鍔部２１Ｆ１の裏面側には、空間ＳＰが得られる。
従って、接続端子３５と外部とを接続ケーブル３６で接続した場合に、その接続ケーブル３６を空間ＳＰに収めることができる。
すなわち、接続端子３５が各調整ノブ３２〜３５などと同じ筐体２１の底面部２１ＢＴに配置されているので、接続作業を調整作業と同じ調整位置で行うことができ、作業が極めて容易となる。
【００３４】
筐体２１に設けられる凹部２１ａは、例えば図７に示す形状の凹部２１ｃにしてもよい。
具体的には、凹部の開口部形状を、前面部２１Ｆと平行な平行凹部２１ｃ１と、そのピン２１Ｐ２側に連接し前面部２１Ｆとは反対の方向に傾斜する傾斜凹部２１ｃ２とを有する形状とする。
【００３５】
このような凹部２１ｃによれば、図７（ａ）に示す使用位置においてこの凹部２１ｃに係合する回動爪５（図７において黒角形状で示す）は平行凹部２１ｃ１に位置し、離脱のための回動により上方に移動すると、図７（ｂ）に示すように、傾斜凹部２１ｃ２に位置して、画像表示装置５０Ｂを回動軸Ｃを中心として時計回り方向に回動させる。
すると、鍔部２１Ｆ１の端部が前面パネル１Ｆよりも手前側にせり出してくるので、指をかけて使用位置から調整位置まで回動させる作業が大変容易になる。
【００３６】
＜第２実施例＞
次に第２実施例について詳述する。
この実施例の展示装置１５０は、少なくとも棚板１０２とこれに取り付けられた情報出力装置である画像表示装置１５０Ｂとにより構成されている。
この展示装置１５０の外観を図８に示す。
棚板１０２は、金属板をプレス等により天面部１０２ｔｐと前面部１０２ｆとを有するように形成して成るものであり、例えば、図９のように汎用の枠体ＬＫ１に装着され商品３００の陳列棚として利用され得るものである。
【００３７】
各部材の概略を、図１０を用いて説明する。
棚板１０２は、その前面部１０２ｆに矩形に開口する孔１０２ａを有している。
画像表示装置１５０Ｂは、枠状のフレーム１１１とこの枠内に装着される本体部１１２とを有している。
本体部１１２は、その両側面に円筒状のピン１２１Ｐを有しており、このピン１２１Ｐがフレーム１１１の側部に形成された支持部１１１ａに嵌着することで枠内に装着され、本体部１１２とフレーム１１１とは一体化されている。
フレーム１１１は、複数の爪部１１１ｂを有し、この爪部１１１ｂが棚板１０２の孔１０２ａに係合して画像表示装置１５０Ｂは、棚板１０２に装着されている。
【００３８】
次にフレーム１１１について、図１１を用いて詳述する。ここで図１１（ａ）は正面、側面、天面、及び背面を示した図であり、図１１（ｂ）は、側面図における支持部１１１ａの拡大図である。図１１（ａ）において、側面図以外は中心線対称につき一部を図示している。
このフレーム１１１は、樹脂材を射出成形することで長方形の開口部１１１ｃを有し一対の長手枠１１１ｎ及び短手枠１１１ｔによる枠状に形成されている。
また、その一面側である背面部１１１ｈには、開口部１１１ｃの長辺に沿って可撓性を有する２対の爪部１１１ｂが立設形成されており、上述したように、この爪部１１１ｂが棚板１０２の孔１０２ａの端部と係合してフレーム１１１は孔１０２ａに装着される。
また、各辺に沿って複数のリブ１１１ｒｂが形成されており、このリブ１１１ｒｂの外側面が棚板１０２の孔１０２ａの端面と近接対向して装着の際の位置決めとされている。
【００３９】
フレーム１１１の長手方向に延在する中心線ＣＬ上の、フレーム１１１の他面側である前面部１１１ｆから距離ｄの位置に回動軸Ｃｆが設定されており、この回動軸Ｃｆを軸とする円筒面の一部を内周面としたピン係合部１１１ｄを有する支持部１１１ａが、各短手枠１１１ｔに形成されている。
【００４０】
この支持部１１１ａの詳細について図１１（ｂ）を用いて説明する。
ピン係合部１１１ｄは、直径Ｄ３なる円筒の表面の一部により形成されている。
また、このピン係合部１１１ｄの短手枠１１１ｔに対して反対側には、挿入口１１１ｅが幅Ｗ３の幅で形成されており、その開口側は、幅が拡がるように形成されたガイド部１１１ｅ１とされている。
ピン係合部１１１ｄ及び挿入口１１１ｅは、薄肉に形成されて互いに離れる方向に可撓性を有する係合腕部１１１ｇの内面として形成されている。
また、ピン係合部１１１ｄの周面１１１ｄ１には、断面が三角形状なる溝１１１ｍが２箇所設けられている。この２箇所は、短手枠１１１ｔ側の溝１１１ｍ２及びそれに対して９０°ずれた位置（図の下方）の溝１１１ｍ１である。
【００４１】
次に、本体部１１２について図１２を用いて詳述する。
この本体部１１２は、第１実施例における画像表示装置５０Ｂに対して、凹部２１ａが形成されてなく、ピン２１Ｐ１，２１Ｐ２の位置と形状が異なるものであり、その他については同様のものである。
【００４２】
本体部１１２は、図１２に示すように略直方体形状を呈し、筐体１２１と、その内部に収納された、制御部（ＣＰＵ）２７，画像を表示する表示部である有機ＥＬ素子２２，音声出力部であるスピーカ２４，表示部２２やスピーカ２４の駆動回路などを含む駆動部２５，画像データや音声データを記憶した記憶媒体であるメモリーカード２８及び電源部２９と、を備えている。
【００４３】
筐体１２１は、樹脂材を射出成形して形成されており、その前面部１２１Ｆには、有機ＥＬ素子２２に表示される画像を外部から視認できるように開口された表示窓部１２１ｋと、スピーカ２４からの音声を外部に放出させるための放音孔１２１ｂと、が設けられている。
また、図１３に示すように、筐体１２１の底面部１２１ＢＴ側には、メモリーカード２８用のスロット３０，電源スイッチ３１，音量調節ノブ３２，画面の明るさ調整ノブ３３，コントラスト調整ノブ３４及び外部との信号授受のための接続端子３５が設けられている。
また、筐体１２１の前面パネルである前面部１２１Ｆは、底面部１２１ＢＴに対して突出する鍔部１２１Ｆ１を有して形成されている。
【００４４】
このような構成により、この本体部１１２は、その制御部２７の指示により、メモリーカード２８に記憶された画像あるいは音声情報の中から顧客にアピールすべき情報を選択的に読み出し、その情報を、駆動部２５を介して有機ＥＬ素子２２に画像を表示させたり、スピーカ２４から音声として出力させたりする。
制御部２７によるこのような制御は、あらかじめ制御プログラムを制御部２７が備えた図示しない他の記憶部に記憶させておき、自律的に行うものである。
もちろん、通信手段（図示せず）を備え、この通信手段を介して外部から制御可能な構成にしてもよい。
【００４５】
また、メモリーカード２８は、カードスロット３０を介して外部から着脱可能とされている。
また、表示部２２は、有機ＥＬ素子以外に液晶素子など周知の画像表示素子を用いることができる。
電源部２９は、１次電池または２次電池であり外部から交換可能とされている。
この電源としては、外部から有線手段で、または電磁誘導などによる非接触手段で供給される構成でもよい。
【００４６】
この展示装置１５０の使用者は、顧客に対してアピールしたい商品などの宣伝情報である画像あるいは音声の情報をあらかじめメモリーカード２８に記憶させておき、そのメモリーカード２８を、アピールしたい商品を陳列した棚に収容された本体部１１２に装着して宣伝情報を表示あるいは出力させる。
【００４７】
筐体１２１は、その両側面部１２１Ｓに、略円筒状に立設されたピン１２１Ｐを有している。
このピン１２１Ｐは、図１４に示すように、筐体１２１の高さ方向の概ね中心に設定された線ＣＬ上の、前面部１２１Ｆから距離ｄｈの位置に設定した回動軸Ｃｈを軸とする直径Ｄ４なる円筒状に形成されている。
また、直径Ｄ４は、フレーム１１１の支持部１１１ａにおける挿入口１１１ｅの幅Ｗ３よりも大きく設定され、また、ピン係合部１１１ｄの直径Ｄ３よりも僅かに小さく設定されている。
また、図の下方向に向け、断面三角形状で回動軸Ｃｈに沿う稜線状に突出する突起１２１ｃが設けられている。
ここで、距離ｄｈは、フレーム１１１における回動軸Ｃｆの、フレーム１１１の前面部１１１ｆから距離ｄと同じに設定されている。
【００４８】
次に、上述したフレーム１１１と本体部１１２との一体化する手順などの詳細について図１５を用いて説明する。
図１５において、図１５（ａ）〜（ｃ）が一体化の手順に沿った図であり、その内の図１５（ｃ）が通常の使用位置となる。
また、図１５（ｄ）は調整を可能とする調整位置を示している図であり、一体化した後、図１５（ｃ）と図１５（ｄ）との間で本体部１１２の姿勢を回動により変えられるよう構成されている。
また、この図１５においては、本体部１１２を破線で示し、そのピン１２１Ｐのみを、理解容易のために実線で示している。
【００４９】
まず、図１５（ａ）に示すように、本体部１１２を、フレーム１１１に対してその支持部１１１ａ側（ロの位置）に位置させる。その際、本体部１１２を鍔部１２１Ｆが支持部１１２ａの反対側（図における右側方向）に位置するように回動させておく。
フレーム１１１が予め棚板１０２に取り付けられている場合は、その前面部１０２ｆの開口部１０２ａ内を通過させて（イからロの位置へ）位置させてもよい。
このロの位置においては、ピン１２１Ｐにおける突起１２１ｃも、支持部１１１ａの反対側に位置する。
【００５０】
次に、図１５（ｂ）に示すように、本体部１１２を図の左方向に移動させ、そのピン１２１Ｐと支持部１１１ａのピン係合部１１１ｄとを係合させる。
この係合においては、上述したように、ピン１２１Ｐの直径Ｄ４がピン係合部１１１ｄの挿入口１１１ｅの幅Ｗ３より大きく設定されているものの、係合腕部１１１ｇが互いに拡がる方向に可撓性を有しているので適切な挿入抵抗が得られ、ピン１２１Ｐをその力に抗して押し込むことでピン１２１Ｐはピン係合部１１１ｄ係合される。この係合によりピン１２１Ｐ側回動軸Ｃｈと支持部１１１ａ側の回動軸Ｃｆとは一致する。以下、この一致した回動軸を便宜的に回動軸Ｃｆとして説明する。
【００５１】
次に、図１５（ｃ）に示す姿勢になるまで、本体１１２を、回動軸Ｃｆを中心に時計回り方向に回動させる。この位置は、上述したように使用位置であり、本体部１１２の前面部１２１Ｆは、この位置において、フレーム１１１の前面部１１１ｆの面とほぼ一致するように設定されている。
この回動の途中では、ピン１２１Ｐの突起１２１ｃが一方の係合腕部１１１ｇを撓ませているが、使用位置に達すると、この突起１２１ｃはピン係合部１１１ｄに設けられた溝１１１ｍ１に係合して係合椀部１１１ｇの撓みは解除されると共にクリック感が得られる。
【００５２】
以上の手順により、フレーム１１１と本体部１１２とが一体化される。
さらに、この本体部１１２に対してメモリーカード２８の交換や音量などの調整を行う場合には、本体部１１２を、図１５（ｄ）に示す調整位置まで時計回り方向に回動させる。
【００５３】
この回動は、使用位置において係合している突起１２１ｃを溝１１１ｍ１から離脱させる回動力を付与して行い、回動の途中では、再びピン１２１Ｐの突起１２１ｃは一方の係合腕部１１１ｇを撓ませるが、調整位置に達すると、この突起１２１ｃはピン係合部１１１ｄに設けられた溝１１１ｍ２に係合して係合椀部１１１ｇの撓みは解除されると共にクリック感が得られる。
【００５４】
本体部１１２は、底面１２１ＢＴに各調整ノブ３２〜３４やスロット３０などを備えているので、この調整位置において、これらは棚部２の正面側（図１５における左側）に露出して容易に各種調整やメモリーカード２８の挿抜などを行うことができる。
【００５５】
すなわち、実施例の展示装置１５０は、画像表示装置１５０Ｂの本体部１１２の使用位置において、電源スイッチ３１，各調整ノブ３２〜３４，接続端子３５及びスロット３０が外部に露出していないので、使用者の意に反して設定が勝手に変更されたり、スロット３０からメモリーカード２８が抜き取られる心配がない。
【００５６】
また、本体部１１２の姿勢を調整位置することで、各種調整やメモリーカード２８の交換などを棚板１０２の前面側から容易に行うことができる。
【００５７】
さらに、この画像表示装置１５０Ｂは、展示装置１５０の正面側となる筐体１２１の前面部１２１Ｆが、底面１２１ＢＴから延出する鍔部１２１Ｆ１を備えて形成されている。
すなわち、図１５（ｃ）に示すように、この鍔部１２１Ｆ１の裏面側には、空間ＳＰが得られる。
従って、接続端子３５と外部の機器とを接続ケーブル３６で接続した場合に、その接続ケーブル３６を空間ＳＰに収めることができる。
すなわち、接続端子３５が各調整ノブ３２〜３５などと同じ筐体１２１の底面部１２１ＢＴに配置されているので、接続作業を調整作業と同じ調整位置で行うことができ、作業が極めて容易となる。
調整位置での作業が終了したら、使用位置まで反時計回り方向に同様に回動させる。
【００５８】
上述したように、この展示装置１５０の実施例は、棚板１０２と、本体部１１２及びフレーム１１１を有する画像表示装置１５０Ｂとを備え、本体部１１２がフレーム１１１に対して回動すると共に、フレーム１１１が棚板１０２に設けられた孔１０２ａに係止されるよう構成して成るものである。
従って、棚板１０２には孔１０２ａを設けておくだけで、この画像表示装置１５０Ｂを装着できるので、極めて容易に展示具１５０を得ることができる。
【００５９】
また、既存の棚板１０２に対しても、単に孔１０２ａを形成するだけで画像表示装置１５０Ｂを取り付けることができる。
従って、所謂後付対応が可能となり、新たに専用棚を入手する必要がないのでその分安価に導入を行うことができる。
【００６０】
本発明の実施例は、上述した構成及び手順に限定されるものではなく、本発明の要旨を逸脱しない範囲において変形例としてもよいのは言うまでもない。
【００６１】
各実施例における回動軸Ｃ，Ｃｆの位置は、説明した位置に限定されるものではなく、以下のような変形例とすることができる。
画像表示装置５０Ｂを代表に説明すると、図１６（ａ）に示すように、画像表示装置５０Ｂの回動軸Ｃをその底面部２１ＢＴ側に設定し、各種調整ノブ３１〜３５やスロット３０などを天面２１Ｔに配設して調整位置において天面２１Ｔが手前に倒れて露出するように構成してもよい。
また、画像表示装置１５０Ｂで説明すると、図１６（ｂ）に示すように、画像表示装置１５０Ｂの回動軸Ｃｆを、棚板１０２の天地方向に設定し、各種調整ノブ３２〜３５やスロット３０などを天面１２１Ｔ（底面１２１ＢＴでもよい）に配設して調整位置において天面１２１Ｔ（底面１２１ＢＴ）の一部が手前に引き出されて露出するように構成してもよい。
もちろん、これらの変形例は、画像表示装置５０Ｂ，１５０Ｂの双方に同様に適用することができる。
いずれの実施例あるいは変形例においても、調整ノブ３２〜３５やスロット３０などの配設面は、調整位置において棚から露出する面に設けられていればよい。
【００６２】
また、本体部１１２がフレーム１１１に対して回動する構成においては、フレーム１１１の支持部１１１ａにける溝１１１ｍを、本体部１１２の姿勢が所望の角度となる位置に自由に設けることができる。
具体的には、図１１における溝１１１ｍ１と溝１１１ｍ２との間やそれ以外の任意の位置に任意の数で溝１１１ｍを設けることができる。
【００６３】
これにより、その所望の角度で本体部１１２の姿勢が保持され、図１６（ｃ）に示すように、棚板１０２が下方に設置された場合には、本体部１１２の表示部２２が上方を向く姿勢（ＤＰ）とし、棚板１０２が顧客ＫＫのほぼ目の高さに設置された場合は、表示部２２が水平方向を向く姿勢（ＭＰ）とし、棚板１０２が上方に設置された場合には、表示部２２が下方を向く姿勢（ＵＰ）とすることができ、顧客ＫＫに対してより効率よく高品位に音声や画像を提供することができる。
【００６４】
情報出力装置として、各実施例では画像と音声とを提供する画像表示装置５０Ｂ，１５０Ｂを説明したが、いずれか一方のみを提供する情報出力装置であってもよい。
また、第２実施例の情報出力装置１５０Ｂは、棚板に限らず、例えば、矩形などの孔を設けた壁面や柱などにも容易に装着することができる。
また、フレーム１１１を相手の孔１０２ａに取り付ける方法は、上述した爪部１１１ｂによる所謂スナップフィットに限らず、ネジ止めや溶着などの周知の方法を適用することができる。
【００６５】
各実施例において情報出力手段である表示部２２あるいは音声出力部２４が情報を出力する面と、出力を調節する出力調整部であるノブ３２〜３４などが設けられている面とは、回動軸Ｃ，Ｃｆを通る互いに異なる法線を有している。
また、各面は、平面でなくてもよく曲面であってもよい。
【図面の簡単な説明】
【００６６】
【図１】本発明の展示装置の第１実施例を説明する斜視図である。
【図２】本発明の展示装置の第１実施例における要部を説明する斜視図である。
【図３】本発明の展示装置の第１実施例における要部を説明する他の斜視図である。
【図４】本発明の展示装置の第１実施例における要部を説明する側面図である。
【図５】本発明の展示装置の第１実施例における他の要部を説明する部分斜視図である。
【図６】本発明の展示装置の第１実施例における組み立て手順を説明するための図である。
【図７】本発明の展示装置の第１実施例の変形例を説明する側面図である。
【図８】本発明の展示装置の第２実施例を説明する斜視図である。
【図９】本発明の展示装置の適用例を説明する斜視図である。
【図１０】本発明の展示装置の第２実施例を説明する分解図である。
【図１１】本発明の展示装置の第２実施例における要部を説明する図である。
【図１２】本発明の展示装置の第２実施例における他の要部を説明する斜視図である。
【図１３】本発明の展示装置の第２実施例における別の要部を説明する斜視図である。
【図１４】本発明の展示装置の第２実施例における別の要部を説明する側面図である。
【図１５】本発明の展示装置の第２実施例における組み立て手順などを説明するための図である。
【図１６】本発明の展示装置の各実施例における変形例を説明する図である。
【符号の説明】
【００６７】
１  枠体
１ａ，１ｂ  側部
１Ｆ  前面パネル
２  棚部
２ａ  棚面
２ｂ  収容部
２ｂ１  角部
２ｂ２  切り欠き部
２ｂ３  鍔部
２ｂｆ  開口縁部
２ｂｓ  側面
２ｃ  前面
２ｄ  係合孔
２ｅ  スリット
２ｅ１  ガイド部
５  回動爪
６  係止ボルト
６ａ  頭部
６ｂ  すりわり
２１  筐体
２１ａ，２１ｃ  凹部
２１ｃ１  平行凹部
２１ｃ２  傾斜凹部
２１ｂ  放音孔
２１ＢＴ  底面部
２１Ｆ  前面部
２１Ｆ１  鍔部
２１ｋ  開口部（表示窓部）
２１Ｐ１  ピン
２１Ｓ１，２１Ｓ２  側面部
２１Ｔ  天面
２２  表示部（有機ＥＬ素子）
２４  音声出力部（スピーカ）
２５  駆動部
２７  制御部（ＣＰＵ）
２８  記憶媒体（メモリーカード）
２９  電源部
３０  スロット
３１  電源スイッチ
３２  音量調節ノブ
３３  明るさ調整ノブ
３４  コントラスト調整ノブ
３５  接続端子
３６  接続ケーブル
５０  展示装置
５０Ａ  展示棚
５０Ｂ  画像表示装置（広告情報提供装置）
１０２  棚板
１０２ａ  孔
１０２ｆ  前面部
１０２ｔｐ  天面部
１１１  フレーム
１１１ａ  支持部
１１１ｂ  爪部
１１１ｃ  開口部
１１１ｄ  ピン係合部
１１１ｅ  挿入口
１１１ｆ  前面部
１１１ｇ  係合腕部
１１１ｈ  背面部
１１１ｍ  溝
１１１ｎ  長手枠
１１１ｒｂ  リブ
１１１ｔ  短手枠
１１２  本体部
１２１  筐体
１２１ｂ  放音孔
１２１ｃ  突起
１２１ＢＴ  底面部
１２１Ｆ  前面部
１２１ｋ  開口部（表示窓部）
１２１Ｐ  ピン
１２１Ｓ  側面部
１５０  展示装置
１５０Ｂ  画像表示装置（情報出力装置）
３００  商品
Ｃ，Ｃｆ，Ｃｈ  回動軸
Ｃ２  軸
Ｄ１，Ｄ２  直径
ＰＫ  ピン係合部
Ｗ，Ｗ３  間隔
θ  角度
【図１】
2007229069.tif 000003
【図２】
2007229069.tif 000004
【図３】
2007229069.tif 000005
【図４】
2007229069.tif 000006
【図５】
2007229069.tif 000007
【図６】
2007229069.tif 000008
【図７】
2007229069.tif 000009
【図８】
2007229069.tif 000010
【図９】
2007229069.tif 000011
【図１０】
2007229069.tif 000012
【図１１】
2007229069.tif 000013
【図１２】
2007229069.tif 000014
【図１３】
2007229069.tif 000015
【図１４】
2007229069.tif 000016
【図１５】
2007229069.tif 000017
【図１６】
2007229069.tif 000018